(57)【要約】      （修正有）【課題】車両が持つ重量エネルギーを有効に利用し発電機を駆動し、電力を得ること。【解決手段】道路上の車両停止線１及び駐車場の一部を可動式にし、その下部に空気圧搾シリンダー３を取付け、このシリンダー内に配置されたピストン４と路面を連接棒により接続する。車両が路面を通過するとピストンが押し下げられ、シリンダー内圧力が高まり、圧縮空気がエアーモーター１３に送られ、エアモーターが回転し、発電機１４が駆動される。【選択図】図１
2004324628.tif 000002
【特許請求の範囲】
【請求項１】
車両重量により圧搾空気を発生させ、それにより発電機を回転さて電気の発生を行うシステム
【請求項２】
路面上の車両停止線（巾：約４５ｃｍ）を可動式にし、その上に車両重量を加えることにより圧搾空気を発生させ発電するシステム
【請求項３】
【請求項１】の原理を応用した駐車場システム
【発明の詳細な説明】
【０００１】
【発明の属する技術分野】
本発明は車両重量を利用し発電するシステムであり、道路上では車両停止線を可動式にすることにより、又駐車場ではその面の一部を可動式にすることにより圧搾空気を発生させ、これにより発電機を作動させる装置に関するものである。
【０００２】
【従来の技術】
本発明の“車両重量による発電”という発想は今日まで見られなかった。ただし、それに必要な圧搾空気を発生させるために道路上の停止線及び駐車上の一部を可動式にすることにより、結果的にそれらが立体的となった。この観点より２者の従来のあり方を述べる。
先ず従来の停止線についてであるが、これは路面に白線（巾：約４５ｃｍ）にて示されているものである。これは時間の経過により変色したり、又一部分或は多くが剥がれている状態がよく見受けられる。これら変色或は損傷を受けている停止線に対しドライバーの精神状態等も加わるなどで、ラインオーバーストップがよく見られる。又一時停止線に対してはドライバーの焦り等で正確な一時停止が行われず事故の発生も見られた。
次に駐車場、特に大形スパー等多数の車が駐車する所では多くの迷惑駐車が見受けられる。
【０００３】
【特許文献１】
【非特許文献１】
いずれも該当する文献見当らず。
【０００４】
【発明が解決しようとする課題】
本発明は多数の車両が持つ重量エネルギーを有効に利用するためのシステムの一つである。即ち車両重量により圧搾空気を発生させそれにより気動機（エアーモーター）を回転させ同時に発電機も連動させ電気を得るものである。この圧搾空気を発生させる装置を
【図１】及び【図７】のように、道路上の停止線及び駐車場の一部を可動式にし、その下部にセットするものである。このような装置により、車両重量から電気を発生させることが本発明の主たる課題である。又結果的に本システムの停止線及び駐車場の一部を立体化することにより両者は付随的に“交差点における交通事故減化及び駐車場における迷惑駐車減化”いう課題にも直面するものである。
【０００５】
【課題を解決するための手段】
本発明は車両重量による発電システムであり、そのため道路上の停止線及び駐車場の一部を可動式にし、それぞれに立体性を持たせたものである。このことは
【０００４】中に述べた付随的課題の解決手段となる。
次に本課題である発電に関してはそれぞれ可動式停止線、駐車場可動部のそれぞれ下部に圧搾機をセットし、それらに車両重量が加えられ圧搾空気を発生させ、それにより発電機を回転させ電気を得るものである。
【０００６】
【発明の実施の形態】
ここで本発明の実施の形態を述べる。
本発明は車両重量による発電システムであることは既述の通りである。その原理は同一であるが、可動式停止線の場合と駐車場の場合の２法があり、先ず前者、即ち可動式停止線の形態より述べる。
本システムのフローは
【図１】に示す通りであり、同図により説明を進める。可動式停止線（１）は車両通行のなき時、即ち無荷重の時は常にピストン（４）棒上部にセットされたスプリング（６）により車両に対し所定の角度で対面を保っている。同時に空気遮断弁（８）はウエイト（９）の重量により“開”の状態に保たれている。
車両通過時、即ち停止線に荷重が加えられた時には、それは路面とほぼ水平の状態となりその様子は
【図２】に示す通りである。ここで圧搾空気発生に関し説明をする。荷重より圧搾シリンダー（３）内部のピストン（４）及び空気遮断弁（８）の３者により圧搾空気は発生するものである。この空気遮断弁（８）はウエイト（９）により常に“開”の状態を保つものであるが、荷重によりピストン（４）が下がれば直ちにその空気圧により“閉”となり、空気は空気貯留タンク（１１）の方に押し出されるものである。
尚、遮断弁（８）とウエイト（９）との重量比は特に定めないがウエイト（９）の方に若干の“大き目の重量”を与える程度で充分である。又シリンダー（３）内の空気漏れ防止強化のためその下部に空気漏れ防止ゴムリング（１０）をセットするものである。
圧搾空気は貯留タンク（１１）に送られ必要に応じ気動機（エアーモーター）（１３）に噴出され発動機（１４）も連動し発電し、最後に蓄電池（１５）へと送られるものである。これ以降についてはその目的が種々見られるのでフローの説明はこれまでとする。
本システム中重要なファクターとしての圧搾空気の流れに関し必要に応じ逆止弁（１２）など種々なる弁類は必ずセットするものである。
ここで各機器類等の詳細説明及びそれらに関する数値を記す。
本装置中、可動式停止線（１）は長さ：３ｍ、巾：約４５ｃｍとしたものを固定化し１ユニットと定める。同停止線（１）接続機器に関しては詳細説明を加えるが、その他の機器については種々なる条件により変化が見られるため、それ等の寸法及び配位置についての説明は不述とする。
先ず、停止線（１）直下の圧搾空気発生用のシリンダー（３）の配列に説明を加える。それは
【図５】に示す通り、図中▲２▼、▲５▼の位置関係は平均的車両巾としその両サイドに対称的に▲１▼、▲３▼、▲４▼、▲６▼をセットする。停止線（１）の可動高については５〜６ｃｍと定める。従って圧搾ピストン（４）のストロークもほぼ同値となるものの、青信号の際の車両通行による各シリンダーの負荷配分、及びシリンダー（３）内部の急激なる圧力上昇に伴う破損を考慮し、▲１▼、▲３▼、▲４▼、▲６▼のストロークは２〜３ｃｍにセットし、又シリンダー（３）内部の減圧を計るためピストン（４）は２ヶ所に減圧溝（５）を設ける。尚ピストン径については５〜７ｃｍぐらいに定める。
最後に逆走車衝撃緩和材（２）に関し説明を加える。
すべてのドライバーが法規通の運転を行えば問題はないが現実問題としてそれは非常に難しいことである。そこで“対向車線はみ出し運転”を配慮しそれが大事故に至らぬよう停止線（１）先端にゴム製の衝撃緩和カバー（２）を取付けるものである。
次に駐車場に於ける本システムに関しその形態を述べる。
本システムは、駐車場の一部を可動式にし、その下部に停止線の場合と同様の圧搾空気発生機器を取付けたものである。
従って圧搾空気の発生、流れ、発電システム等に関しては各機器の寸法、容量等が異なるのみでその原理は前者と同一であるので、それらの図は明記しない。
然し駐車時に於ける可動部の動きに関しては説明を加える。
駐車場が“空”の時は駐車場可動部（１６）の前方上部に設けられた車両駐車補助板（１７）及びその内部下部に取付けられた重り（１８）によりその後部が持ち上げられ可動板ストッパー（２０）で止められ、即ち圧搾ピストン（４）は最高位の状態で車の入場を待つものである。
次に駐車が行われる様子を記す。車両はスロースピードで入場し駐車補助板（１７）をスムーズに通過し、つづいて駐車場可動部（板）（１６）をゆっくりと下部に押し付け乍ら車ストッパー（１９）まで進み駐車となる。この際ピストン（４）は最下位となり、同時に車両駐車補助板（１７）は車両の下で凸状態となるが、一般的車両であれば接触問題は生じない。
尚ピストン（４）のストロークは３０ｃｍ前後にセットする。これに使用するピストン（４）はその動きがスローのため減圧溝（５）のないものとする。又、圧搾シリンダー（３）の径及びその数についてであるが、径は１２〜１５ｃｍが良好と思われる、その配列及び数は
【図６】の▲１▼〜▲４▼の４個とする。
出車の時はスロースピードで可動板（１６）から補助板（１７）に接し、それをゆっくりと押し下げ最後にそれが水平状態となり車にショックなしの運転を与えるものである。同時に可動板（１６）は上がりストッパー（２０）で止まり、シリンダー（３）は最上位を保ちながら次の入車を待つものである。
最後に本装置の保安の問題について述べる。本装置は駐車場に設置されるものでドライバー達は細心の注意でスロー運転を行うため事故は殆んど発生しないと思うが念のため可動部（１６）の最後部と両面に硬質塩化ビニール樹脂板などによる危険防止板（２１）を取付け安全には充分配慮するものである。
【０００７】
【発明の効果】
本発明は無数の車両が持つ重量エネルギーにより電力を得るシステムであり、その規模にも左右されるもののスパーなどはこれにより電力会社への支払い料金に減料化が見られ、経費節減の一端を担うものである。
又発電のために停止線、駐車場の一部を立体化することにより“交通事故減化”及び“迷惑駐車減化”がみられることを確信するものである。
最後に本装置は未だ初歩的段階であり研究改良を加えることにより、バス（タクシー）乗場、ガソリンスタンド、或は貨物集配センターのトラック駐車場など多類の車両の出入が見られる所に応用され多くの電力が得られる日が来ることを切に望むものである。
【図面の簡単な説明】
【図１】「可動式停止線の関係機器及びそのフローを示した図面である」
【図２】「可動式停止線を示した断面図である」
【図３】「可動式停止線に使用される圧搾機ピストンを示した平面及び立体図である」
【図４】「圧搾機シリンダー下部の空気遮断弁関連を示した断面図である」
【図５】「１組の圧搾機配列を示した平面図である」
【図６】「駐車場に於ける１台分の場所を示した平面図である」、Ｓ：１／３０
【図７】「駐車駐場の“空”の場合と“駐車時”を示した断面図である」
【符号の説明】
１は可動式停止線
２は逆走車衝撃緩和材（ゴム）
３は圧搾機シリンダー
４は圧搾機ピストン
５はピストン減圧溝
６はスプリング
７は空気吸入口
８は空気遮断弁
９はウエイト
１０は空気漏れ防止ゴムリング
１１は圧搾空気貯留タンク
１２は逆止弁
１３は気動機（エアー・モーター）
１４は発電機
１５は蓄電池
１６は駐車場可動部（板）
１７は車両駐車補助板
１８は可動部“開”用重り
１９は車ストッパー
２０は可動板ストッパー
２１は危険防止板
２２は駐車場境界線
【図１】
2004324628.tif 000003
【図２】
2004324628.tif 000004
【図３】
2004324628.tif 000005
【図４】
2004324628.tif 000006
【図５】
2004324628.tif 000007
【図６】
2004324628.tif 000008
【図７】
2004324628.tif 000009